(57)【要約】      （修正有）【課題】打球時や釘を打ち込む際の手首や肘などへの衝撃を吸収するとともに、グリップ感やファッション性を向上することのできるアンダーテープを提供する。【解決手段】スポーツ用具や金槌などの工具のグリップ部に巻いて使用するオーバーグリップテープの下に巻くアンダーテープであって、柔軟性及び弾力性に優れたポリウレタンやシリコンなどのエラストマー素材からなり、表面あるいは裏面に凹凸部を備えた。オーバーグリップテープを重ね巻いたとき、オーバーグリップテープの表面に凹凸部のパターンが浮き出すことで、クッション性や衝撃吸収性能、グリップ感が向上する。また、凹凸部は種々のパターンで構成することができるので、ファッション性の向上も実現できる。【選択図】図１
0003185201.tif 000002
【実用新案登録請求の範囲】
【請求項１】
軟式や軟式のテニスラケット、野球やソフトボール、クリケットなどのバット、ゴルフクラブなどのスポーツ用具、金槌などの工具のグリップ部に巻いて使用するオーバーグリップテープの下に巻くアンダーテープであって、該アンダーテープは、柔軟性及び弾力性に優れた素材からなり、表面あるいは裏面の一方の面に凹凸部を備えたことを特徴とするグリップ部を有するスポーツ用具や工具などのアンダーテープ。
【請求項２】
該アンダーテープは、ベース層と凹凸層とから形成され、該凹凸部は、該凹凸層に備えたことを特徴とする請求項１に記載のスポーツ用具や工具などのアンダーテープ。
【請求項３】
該アンダーテープの厚み方向に、貫通開孔させた複数の貫通孔を配設して凹凸部を備えたことを特徴とする請求項１に記載のスポーツ用具や工具などのアンダーテープ。
【考案の詳細な説明】
【技術分野】
【０００１】  本考案は、軟式や軟式のテニスラケット、野球やソフトボール、クリケットなどのバット、ゴルフクラブなどのスポーツ用具、金槌などの工具のグリップ部に巻いて使用するオーバーグリップテープの下に巻くアンダーテープに関し、特に、打球時や釘を打ち込む際の手首や肘などへの衝撃を吸収するアンダーテープに関する。
【背景技術】
【０００２】  従来、軟式や軟式のテニスラケットのグリップ部には、予めレザーやウレタン系素材のグリップテープが巻かれている。また、ゴルフクラブのグリップ部にはＥＰＤＭを始めとする各種樹脂系コンパウンドのグリップが嵌められている。また、野球やソフトボール、クリケットなどのバットのグリップ部には、特に何も装着されていないことがほとんどである。また、金槌などの工具のグリップ部には、特に何も装着されていないことがほとんどである。【０００３】  例えば、軟式や硬式のテニスラケットのグリップ部には、予めレザーやウレタン系素材のグリップテープが巻かれているが、グリップの太さを調整するため、滑り止め効果を向上させるため、元々のグリップテープが傷んだためなどの理由から、予め巻かれているグリップテープの上にさらにポリウレタンなどの素材からなるオーバーグリップテープを重ね巻いて使用される。【０００４】  このようなことは、ゴルフクラブのグリップ部の場合でも同様であり、グリップの太さの調整、滑り止め効果の向上のためにグリップ部の上にオーバーグリップテープを重ね巻いて使用される。【０００５】  野球やソフトボール、クリケットなどのバットのグリップ部の場合では、何も装着されていないことがほとんどであるが、グリップ部の太さの調整、滑り止め効果の向上のためにグリップ部にオーバーグリップテープを重ね巻いて使用される。【０００６】  金槌などの工具のグリップ部は、衝撃吸収や滑り止めのために表面がゴム素材で覆われている製品も見受けられるが、多くは木製のグリップであり、特に何も装着せずに使用されることがほとんどである。【０００７】  上記で説明したオーバーグリップテープは、テニスラケット、ゴルフクラブ、バットなどそれぞれの製品に応じたものが各種販売されており、カラーバリエーションなども豊富であるので、使用者の好みに応じてテニスラケットのフレームカラーと合わせてカラーコーディネートすることも可能である。【０００８】  オーバーグリップテープの先行技術については、特公平３−１２５４６号公報（特許文献１）に開示された「グリップテープ」を一般的な技術として示す。なお、アンダーテープの先行技術文献については、特に発見しなかった。
【先行技術文献】
【特許文献】
【０００９】
【特許文献１】  特公平３−１２５４６号公報
【考案の概要】
【考案が解決しようとする課題】
【００１０】  ところで、軟式や硬式のテニスラケットのグリップ部には、図３に示すように、予めグリップテープが巻かれ、ほとんどのプレイヤーが該グリップテープの上にオーバーグリップテープを重ね巻いて使用するといった実態は、段落番号０００３で述べたとおりであるが、テニスラケットのグリップに予め巻かれたグリップテープは、特に、クッション性や衝撃吸収性能に優れているとは言い難い。また、最近のテニスラケットのフレームには、金属、カーボンファイバーなど材料が多用されており、これらのフレームでは、打球時の衝撃や振動を直接手首や肘に受けるため、いわゆるテニスエルボーなどの損傷が起きやすく、クッション性や衝撃吸収性能の向上が課題となっている。この点は、特許文献１の従来の技術及び発明が解決しようとする課題でも述べられている。また、グリップしたときのグリップ感（グリップした際のフィット感やホールド感）にも欠けるものである。【００１１】  また、ゴルフクラブやバットのグリップ部、金槌などの工具のグリップ部にオーバーグリップテープを巻いた場合であっても、グリップの太さの調整や滑り止め効果を得ることができるが、クッション性や衝撃吸収性能、グリップ感の向上を期待することは不可能である。【００１２】  そこで本考案は、上記課題を解消し、軟式や軟式のテニスラケット、野球やソフトボール、クリケットなどのバット、ゴルフクラブなどのスポーツ用具、金槌などの工具のグリップ部に巻かれたオーバーグリップテープの下に巻いて、打球時や釘を打ち込む際の手首や肘などへの衝撃を吸収するとともに、グリップ感やファッション性を向上することのできるアンダーテープを提供することを目的とする。
【課題を解決するための手段】
【００１３】  上記の課題は本考案の請求項１によれば、軟式や軟式のテニスラケット、野球やソフトボール、クリケットなどのバット、ゴルフクラブなどのスポーツ用具、金槌などの工具のグリップ部に巻いて使用するオーバーグリップテープの下に巻くアンダーテープであって、該アンダーテープは、柔軟性及び弾力性に優れた素材からなり、表面あるいは裏面の一方の面に凹凸部を備えたことで解決される。【００１４】  上記の課題は本考案の請求項２によれば、該アンダーテープは、ベース層と凹凸層とから形成され、該凹凸部は、該凹凸層に備えたことで解決される。【００１５】  上記の課題は本考案の請求項３によれば、該アンダーテープの厚み方向に、貫通開孔させた複数の貫通孔を配設して凹凸部を備えたことで解決される。
【考案の効果】
【００１６】  請求項１においては、軟式や軟式のテニスラケット、野球やソフトボール、クリケットなどのバット、ゴルフクラブなどのスポーツ用具、金槌などの工具のグリップ部に巻いて使用するオーバーグリップテープの下に巻くアンダーテープであって、該アンダーテープは、柔軟性及び弾力性に優れた素材からなり、表面あるいは裏面の一方の面に凹凸部を備えたので、スポーツ用具などのグリップ部に本考案のアンダーテープを巻いた上で、さらにオーバーグリップテープを重ね巻いたとき、オーバーグリップテープの表面に凹凸部のパターンが浮き出すことで、オーバーグリップテープの表面に凹凸部が形成される。これによって、クッション性や衝撃吸収性能、グリップ感（グリップした際のフィット感やホールド感）の向上、太さ調整に加えて、オーバーグリップテープの機能である滑り止め、吸汗効果を合わせて得ることができ、テニスエルボーを防止するとともに、快適にテニスを楽しむことができる。また、凹凸部は種々のパターンで構成することができるので、オーバーグリップテープの表面に種々パターンの凹凸部が浮き出し、ファッション性の向上も実現することができる。【００１７】  請求項２においては、該アンダーテープは、ベース層と凹凸層とから形成され、該凹凸部は、該凹凸層に備えたので、ベース層と凹凸層を異なる素材や、同一の素材であっても物性を異ならせて形成することによって、凹凸部がより手指に引っ掛かりやすくなるなど、クッション性や衝撃吸収性能を維持しながら、グリップ感を向上させたり、所望の特性を得るようにしたりすることができる。【００１８】  請求項３においては、該アンダーテープの厚み方向に、貫通開孔させた複数の貫通孔を配設して凹凸部を備えたので、該アンダーテープの厚み方向が全て凸部になることで、凸部に指や掌の圧力が掛かったとき、すなわちグリップしたときにより凹みやすく柔らかくなり、さらなるクッション性や衝撃吸収性能が向上を実現することができる。
【図面の簡単な説明】
【００１９】
【図１】本考案の第１の実施例を示す正面図である。
【図２】図１におけるＡ−Ａ線断面図である。
【図３】テニスラケットの説明図である。
【図４】凹凸部のパターンを示す図である。
【図５】使用状態を示す図である。
【図６】本考案の第２の実施例を示す図１におけるＡ−Ａ線断面図である。
【図７】本考案の第２の実施例を示す図１におけるＡ−Ａ線断面図である。
【図８】本考案の第３の実施例を示す図１におけるＡ−Ａ線断面図である。
【考案を実施するための形態】
【実施例１】
【００２０】  本考案の実施例１について、図面を参照して詳細に説明する。なお、説明にあたっては、テニスラケットに適用して説明をする。図１は、本考案の実施例を示す正面図である。図２は、図１におけるＡ−Ａ線断面図である。図３は、テニスラケットの説明図である。【００２１】  まず、図３を参照して、本考案のグリップ部を有するスポーツ用具や工具などのアンダーテープを巻くテニスラケットについて説明をする。テニスラケット（３）は、グリップ部（３ａ）にグリップテープ（３ｂ）が予め巻かれている。このグリップテープ（３ｂ）は、レザーやウレタン系素材からなるが、このままの状態では、特に、グリップ感、クッション性や衝撃吸収性能、滑り止め性能、適したグリップの太さに優れているとは言い難い。そこで、ほとんどのプレイヤーはオーバーグリップテープ（３ｃ）をグリップテープ（３ｂ）の上から重ね巻いて使用する。しかしながら、グリップテープ（３ｂ）の上からオーバーグリップテープ（３ｃ）を重ね巻いたとはいえ、特に効果があると言えるのは滑り止め性能や吸汗効果の向上程度であって、クッション性や衝撃吸収性能が特段に向上するわけではなく、グリップの太さの調整といって、些細な調整ができるに過ぎない。【００２２】  次に、図１及び図２を参照して、グリップ部を有するスポーツ用具や工具などのアンダーテープ（以下「本体（１）」という）について詳細に説明をする。図１に示されるように、本体（１）は、テープ状に形成され表面（１ａ）に凹凸部（２）を備えて構成される。また、本体（１）は、柔軟性及び弾力性に優れた素材（例えば、ポリウレタン、シリコンなどのエラストマー素材、ＰＶＣやナイロンなどの軟質プラスチック素材、またそれらを発泡させた素材）から一体に形成される。さらに、本体（１）の長手方向の両端部は、テニスラケット（３）のグリップ（３ａ）に巻く際の巻き始めと巻き終わりの収まりがよいように斜めにカットされる。【００２３】  本体（１）の表面（１ａ）に備えられた凹凸部（２）は、図１においては、本体（１）の表面（１ａ）側の長手方向に沿って、凹部（２ａ）と凸部（２ｂ）とを交互に配して凹凸面として構成される。凹凸部（２）は、テニスラケット（３）のグリップ部（３ａ）に予め巻かれたグリップテープを外して本体（１）を巻く際に、凹凸の高低差によって引っかかりが生じるため確実に巻き付け固定することができるとともに、クッション性や衝撃吸収性能、グリップ感の向上のために大いに有効となる。【００２４】  図４は、凹凸部のパターンを示す図である。図１におけるＢ部を拡大して図４（ア）から（ケ）まで種々パターンを示している。なお、図中、墨で塗られた部分は凹部（２ａ）、白い部分は凸部（２ｂ）を示すが、どちらを凹部、凸部するかは、特に限定するものではなく、反転した状態（墨で塗られた部分を凸部、白い部分は凹部）としてもよい。【００２５】  図４（ア）は、図１及び図２に示されたもので、凹凸部（２）を、本体（１）の長手方向に沿って備えられた凹部（２ａ）と凸部（２ｂ）とで構成したパターンである。【００２６】  図４（イ）は、凹凸部（２）を、本体（１）の長手方向と直交する方向に備えられた凹部（２ａ）と凸部（２ｂ）���で構成したパターンである。【００２７】  図４（ウ）は、凹凸部（２）を、本体（１）の長手方向に対して斜め方向に備えられた凹部（２ａ）と凸部（２ｂ）とで構成したパターンである。【００２８】  図４（エ）は、凹凸部（２）を、円形の凹部（２ａ）を配列、図４（オ）は、方形の凹部（２ａ）を配列したパターンで、この他に、図示しないが、三角形、菱形、多角形などの何れかの形状１種類を、凹部（２ａ）として配列して構成したパターンでもよい。【００２９】  図４（カ）は、凹凸部（２）を、円形の凹部（２ａ）と方形の凹部（２ａ）とを組み合わせて配列したパターンで、方形、三角形、菱形、多角形、円形の何れかの形状を任意に組み合わせ配列して構成したパターンでもよい。【００３０】  図４（キ）は、凹凸部（２）を、記号の「×」を配列、図４（ク）を、文字列の「Ａ」を配列したパターンで、この他に図示しないが、適宜な記号あるいは文字列を配列して構成したパターンであればよい。【００３１】    図４（ケ）は、凹凸部（２）を、記号の「×」とした凹部（２ａ）と文字列の「Ａ」とした凹部（２ａ）を組み合わせて配列したパターンで、適宜な記号あるいは文字列を任意に組み合わせて配列して構成したパターンでもよい。【００３２】  図５は、使用状態を示す図で、テニスラケット（３）のグリップ部（３ａ）に巻かれた本体（１）の上にオーバーグリップテープ（３ｃ）を重ね巻いた状態を示している。なお、本体（１）の凹凸部（２）のパターンは、図４（エ）に示す円形の凹部（２ａ）を配列した状態のものである。【００３３】  以上のように構成された本体（１）は、図５に示すように、テニスラケット（３）のグリップ部（３ａ）に予め巻かれたグリップテープ（３ｂ）を外した後、本体（１）を巻き付けて固定する。このとき、凹凸部（２）の凹凸の高低差によって、本体（１）の表面（１ａ）と裏面（１ｂ）との間で引っかかりが生じて確実に巻き付け固定することができる。【００３４】  また、凹凸部（２）は、表面（１ａ）に凹凸部（２）が全くない平面状態と比較したときに、凹部（２ａ）と凸部（２ｂ）とそれぞれの部分の面積に分けることができる。従って、凸部（２ｂ）は、平面状態のときよりも、指や掌が当たっている面積が少なくなるので、グリップしたときに指や掌の圧力が掛かったとき、より凹みやすくなるのでクッション性や衝撃吸収性能が向上することになる。一方、凹部（２ａ）は、指や掌が入り込むことにより、グリップ感（グリップした際のフィット感やホールド感）を向上させることができる。【００３５】  さらに、テニスラケット（３）のグリップ部（３ａ）がもともと細い場合、本体（１）を巻き付けることで太さ調整をすることもできる。【００３６】  そして、このように本体（１）を巻いたグリップ部（３ａ）の上にオーバーグリップテープ（３ｃ）を重ね巻いたとき、オーバーグリップテープ（３ｃ）の表面には、図５に示されるように、凹凸部（２）のパターンが浮き出すことで、オーバーグリップテープ（３ｃ）の表面に凹凸部（３ｄ）が形成される。【００３７】  オーバーグリップテープ（３ｃ）の表面に形成された凹凸部（３ｄ）は、前記した効果の、クッション性や衝撃吸収性能、グリップ感（グリップした際のフィット感やホールド感）の向上、太さ調整に加えて、オーバーグリップテープ（３ｃ）の機能である滑り止め、吸汗効果を合わせて得ることができ、テニスエルボーを防止するとともに、快適にテニスを楽しむことができる。また、凹凸部（２）は図４に示すように、種々のパターンで構成することができるので、オーバーグリップテープ（３ｃ）の表面に種々パターンの凹凸部（３ｄ）が浮き出し、ファッション性の向上も実現することができる。【００３８】  以上の説明では、テニスラケットを例にして説明をしたが、野球やソフトボール、クリケットなどのバット、ゴルフクラブなどのスポーツ用具、金槌などの工具のグリップ部にも、本体（１）を巻き付けその上からオーバーグリップテープ（３ｃ）を重ね巻けば、同様の効果を得ることができる。また、凹凸部（２）は本体（１）の表面（１ａ）に形成したが、裏面（１ｂ）に備えてもまったく差し支えなく、同様の効果を得ることができる。
【実施例２】
【００３９】  本考案の実施例２について、図６及び図７を参照して詳細に説明する。図６及び図７は、本考案の第２の実施例を示す図１におけるＡ−Ａ線断面図である。第１の実施例において本体（１）は、柔軟性及び弾力性に優れた素材（例えば、ポリウレタン、シリコンなどのエラストマー素材、ＰＶＣやナイロンなどの軟質プラスチック素材、またそれらを発泡させた素材）から一体に形成されるが、本実施例において本体（１）は、ベース層（１ｃ）と凹凸層（２ｃ）とを合わせて形成され、凹凸部（２）は、凹凸層（２ｃ）に備えて形成した。図６において凹凸層（２ｃ）は、凹部（２ａ）を本体（１）の厚み方向に貫通開孔させ、開孔していない部分を凸部（２ｂ）として形成される。図７において凹凸層（２ｃ）は、凹部（２ａ）を本体（１）の厚み方向に貫通せずに凹ませて備え、凹ませていない部分を凸部（２ｂ）として形成される。このように、本体（１）は、ベース層（１ｃ）と凹凸層（２ｃ）とが別体であるので、ベース層（１ｃ）と凹凸層（２ｃ）とを、同一の素材で形成してもよいし、それぞれを特性や物性の異なる素材や同一の素材であっても特性や物性（硬度など）を変えて形成してもよい。なお、凹凸層（２ｃ）によって形成された凹凸部（２）は、図４に示されるようなパターンで形成される。このようにベース層（１ｃ）と凹凸層（２ｃ）とを、別の素材で形成することで、第１の実施例で説明した効果に加えてさらに種々効果を得ることができる。【００４０】  例えば、ベース層（１ｃ）の素材を凹凸層（２ｃ）よりも柔らかい素材で形成することによって、凹凸部（３ｄ）がより手指に引っ掛かりやすくなるので、クッション性や衝撃吸収性能を維持しながら、グリップ感を向上させることができる。このように、ベース層（１ｃ）と凹凸層（２ｃ）の素材を所望の効果を得るように選択することで、クッション性や衝撃吸収性能を維持しながら、様々なグリップ感を得ることができるようになる。
【実施例３】
【００４１】  本考案の実施例３について、図８を参照して詳細に説明する。図８は、本考案の第３の実施例を示す図１におけるＡ−Ａ線断面図である。本実施例においては、第１の実施例と同様に、本体（１）は、柔軟性及び弾力性に優れた素材（例えば、ポリウレタン、シリコンなどのエラストマー素材、ＰＶＣやナイロンなどの軟質プラスチック素材、またそれらを発泡させた素材）から一体に形成し、本体（１）の厚み方向に貫通開孔させた複数の貫通孔（１ｄ）を配列形成して凹凸部（２）を備えた。これによって、本体（１）の厚み方向、すなわち表面（１ａ）と裏面（１ｂ）の両面が全て凹凸部（２）になるので、指や掌の圧力が掛かったとき、すなわちグリップしたときにより凸部（２ｂ）がより凹みやすく柔らかくなり、さらなるクッション性や衝撃吸収性能が向上を実現することができる。なお、凹凸部（２）は、図４に示されるようなパターンで形成されるが、図４（ア）から（ウ）のパターンの場合は、特に図示しないが、適宜凸部（２ｂ）間に接続部分を設けることによって本体（１）が形成される。さらに、図４（ク）及び（ケ）のパターンの場合は、特に図示しないが、文字の一部が抜け落ちてしまうので、図４（ア）から（ウ）と同様に接続部分を設けるか、抜け落ちることのない記号や文字を選択すればよい。
【符号の説明】
【００４２】１          本体
１ａ        表面
１ｂ        裏面
１ｃ        ベース層
１ｄ        貫通孔
２          凹凸部
２ａ        凹部
２ｂ        凸部
２ｃ        凹凸層
３          テニスラケット
３ａ        グリップ部
３ｂ        グリップテープ
３ｃ        オーバーグリップテープ
３ｄ        凹凸部
【図１】
0003185201.tif 000003
【図２】
0003185201.tif 000004
【図３】
0003185201.tif 000005
【図４】
0003185201.tif 000006
【図５】
0003185201.tif 000007
【図６】
0003185201.tif 000008
【図７】
0003185201.tif 000009
【図８】
0003185201.tif 000010